【手続補正書】
【提出日】平成21年11月19日(2009.11.19)
【手続補正１】
【補正対象書類名】特許請求の範囲
【補正対象項目名】全文
【補正方法】変更
【補正の内容】
【特許請求の範囲】
【請求項１】
シートをシート搬送方向に搬送するシート搬送用回転体と、
前記シート搬送用回転体によりシートを搬送させるために駆動手段からの回転駆動力を該シート搬送用回転体に伝達する駆動伝達手段と、
を備えたシート搬送装置において、
前記駆動伝達手段は、それぞれに設けられた駆動伝達部間で回転駆動力の伝達を行う第１駆動伝達手段、及び、該第１駆動伝達手段より駆動手段側の第２駆動伝達手段を少なくとも備え、
前記第１駆動伝達手段及び前記第２駆動伝達手段にそれぞれ設けられた前記駆動伝達部に、該第１駆動伝達手段と該第２駆動伝達手段との間に作用する回転駆動力の大きさ、及び、該第１駆動伝達手段に対する該第２駆動伝達手段の回転方向に基づいて、該第１駆動伝達手段と該第２駆動伝達手段との間の回転駆動力の伝達を断続的に行う駆動断続手段を備えることを特徴とするシート搬送装置。
【請求項２】
前記駆動断続手段は、前記駆動伝達部間で係脱可能に設けられ、該駆動伝達部間の係合状態が解除されることにより、前記第１駆動伝達手段と前記第２駆動伝達手段との間の回転駆動力の伝達を遮断することを特徴とする請求項１に記載のシート搬送装置。
【請求項３】
前記第１駆動伝達手段及び前記第２駆動伝達手段の前記駆動伝達部はそれぞれ、伝達される回転の回転軸の軸方向に互いに対向するとともに、回転中心からずれた位置で前記軸方向に突出する突起状部を有して同軸上を回転するように設けられ、
前記駆動伝達部のうち少なくとも一方は、前記軸方向に移動可能に設けられるとともに、付勢手段による付勢によって該駆動伝達部のうち他方に圧接されて前記突起状部が回転方向に互いに噛合することにより、前記第１駆動伝達手段と前記第２駆動伝達手段との間の回転駆動力の伝達が行われ、
前記付勢手段の付勢力に抗して前記駆動伝達部が互いに離間することによって前記突起状部の噛合状態が解除されることにより、前記第１駆動伝達手段と前記第２駆動伝達手段との間の回転駆動力の伝達が遮断されることを特徴とする請求項１または２に記載のシート搬送装置。
【請求項４】
前記第１駆動伝達手段に設けられた前記駆動伝達部の前記突起状部は、
第１頂上部と、
該第１頂上部からシートがシート搬送方向に搬送されるように該駆動伝達部が回転する回転方向に向かって前記軸方向における起伏量を減らすように設けられた第１緩斜面部と、
該第１頂上部から該回転方向とは反対方向に向かって前記起伏量を減らすように設けられた第１急斜面部と
を備え、
前記第２駆動伝達手段に設けられた前記駆動伝達部の前記突起状部は、
第２頂上部と、
該第２頂上部からシートがシート搬送方向に搬送されるように該駆動伝達部が回転する回転方向に向かって前記起伏量を減らすように設けられた第２急斜面部と、
該第２頂上部から該回転方向とは反対方向に向かって前記起伏量を減らすように設けられた第２緩斜面部と
を備え、
前記第１急斜面部と前記第２急斜面部とが圧接して回転するような場合、回転駆動力の伝達が行われ、
前記第１急斜面部と前記第２急斜面部とが摺動するような場合、前記付勢手段の付勢力に抗して前記駆動伝達部が離間する方向に移動することにより、回転駆動力の伝達が遮断され、
前記第１緩斜面部と前記第２緩斜面部とが摺動するような場合、前記付勢手段の付勢力に抗して前記駆動伝達部が離間する方向に移動することにより、回転駆動力の伝達が遮断されることを特徴とする請求項３に記載のシート搬送装置。
【請求項５】
前記第１急斜面部及び第２急斜面部のうち、何れかが、前記第１頂上部、若しくは第２頂上部に対して略垂直平面を形成してなることを特徴とする請求項４に記載のシート搬送装置。
【請求項６】
前記第２駆動伝達手段から前記第１駆動伝達手段に加わる負荷が所定量以上となった第１の場合に、前記第１急斜面部と前記第２急斜面部とが摺動することにより回転駆動力の伝達が遮断され、
前記第２駆動伝達手段が前記第１駆動伝達手段に対して相対的に、シートがシート搬送方向に搬送されるときに回転する回転方向とは反対方向に回転した第２の場合に、前記第１緩斜面部と前記第２緩斜面部とが摺動することにより回転駆動力の伝達が遮断されることを特徴とする請求項４または５に記載のシート搬送装置。
【請求項７】
前記第１の場合とは、前記第１駆動伝達手段が略停止状態にあるときに、シートがシート搬送方向に搬送されるように、前記駆動伝達手段における前記駆動手段と記第２駆動伝達手段との間において回転駆動力の伝達が行われる場合であり、
前記第２の場合とは、前記第２駆動伝達手段が略停止状態にあるときに、シートがシート搬送方向に搬送されるように、前記駆動伝達手段における前記第１駆動伝達手段と前記シート搬送用回転体との間において回転駆動力の伝達が行われる場合であることを特徴とする請求項６に記載のシート搬送装置。
【請求項８】
前記シート搬送用回転体によりシートがシート搬送方向に搬送される際に、駆動手段から前記駆動伝達手段に伝達されることにより、該シート搬送用回転体に掛かる負荷回転力をＴ１とし、
前記駆動断続手段が、前記シート搬送用回転体によりシートがシート搬送方向に搬送されるように回転駆動力の伝達を行う際に、前記シート搬送用回転体に伝達し得る回転駆動力の最大値をＴ２とし、
駆動手段から前記シート搬送用回転体に伝達される回転駆動力のうち、前記駆動伝達手
段が破損に至る際の回転駆動力をＴ３とし、
前記シート搬送用回転体によりシートがシート搬送方向とは反対方向に搬送されるように、駆動手段から該シート搬送用回転体に回転駆動力が伝達される際に、該シート搬送用回転体に伝達し得る回転駆動力の最大値をＴ４としたとき、
Ｔ４＜Ｔ１＜Ｔ２＜Ｔ３なる関係が成立するように、前記突起状部の形状が決められることを特徴とする請求項３〜７のいずれかに記載のシート搬送装置。
【請求項９】
前記駆動伝達手段により駆動手段からの駆動力が伝達されることによりシートを搬送する回転体をさらに少なくとも１つ備えることを特徴とする請求項１〜７のいずれかに記載のシート搬送装置。
【請求項１０】
請求項１〜９のいずれかに記載のシート搬送装置と、
前記シート搬送用回転体として適用され、シート上に形成された未定着のトナー像を該シートに定着させる定着手段と、
を備えることを特徴とする定着装置。
【請求項１１】
請求項１〜９のいずれかに記載のシート搬送装置と、
前記シート搬送用回転体より上流側で前記駆動伝達手段により駆動手段からの駆動力が伝達されるように設けられ、シート上に形成された未定着のトナー像を該シートに定着させる定着手段と、
を備えることを特徴とする定着装置。
【請求項１２】
前記定着手段を前記第２駆動伝達手段により駆動手段からの駆動力が伝達されるように設けるとともに、
前記定着手段とのニップでシートを挟持搬送するために、該定着手段に圧接する加圧手段と、
前記定着手段と前記加圧手段との当接状態を解消するための解除手段と、
を備えたことを特徴とする請求項１１に記載の定着装置。
【請求項１３】
シート搬送方向において前記定着手段の上流側に設けられ、シートを検知する第１シート検知手段と、
前記シート搬送方向において前記定着手段の下流側に設けられ、シートを検知する第２シート検知手段と、
を備え、
前記第１シート検知手段によりシートが検知されてから所定の時間までに前記第２シート検知手段によって該シートが検知されない場合に、前記解除手段により、前記定着手段と前記加圧手段との当接状態を解消することを特徴とする請求項１２に記載の定着装置。
【請求項１４】
シートにトナー像を形成する画像形成手段と、
前記画像形成手段により形成されたトナー像をシートに定着させる請求項１０〜１３のいずれかに記載の定着装置と、
を備えることを特徴とする画像形成装置。